(57)【要約】【課題】自身を一意に同定できるマーキング等を書き込み・読み出しできる手段を有するデータ記憶カートリッジを提供する。【解決手段】記録可能なデータ記憶カートリッジ（３００）は、ハウジング（３０２）と、該ハウジング内に少なくとも部分的に収納される記録可能なデータ記憶媒体（３１８）と、前記ハウジングの光学的に書き込み可能且つ光学的に読み出し可能な面（３１２）とを備える。面（３１２）に対して外部の光学ラベル付け機構（１１２）により書き込み／読み出しがおこなえる。【選択図】図３Ｂ
2007299514.tif 000002
【特許請求の範囲】
【請求項１】
記録可能なデータ記憶カートリッジであって、
ハウジングと、
該ハウジング内に少なくとも部分的に収納される記録可能なデータ記憶媒体と、
前記ハウジングの光学的に書き込み可能且つ光学的に読み出し可能な面と
を備えることを特徴とする、記録可能なデータ記憶カートリッジ。
【請求項２】
前記ハウジングは前面及び背面を有し、前記記録可能なデータ記憶媒体は該前面を介してアクセス可能であり、前記光学的に書き込み可能且つ光学的に読み出し可能な面は前記背面の少なくとも一部であることを特徴とする、請求項１に記載の記録可能なデータ記憶カートリッジ。
【請求項３】
前記光学的に書き込み可能且つ光学的に読み出し可能な面は、マスメディア格納装置内に光学的に書き込まれるようになっている空白面であることを特徴とする、請求項１に記載の記録可能なデータ記憶カートリッジ。
【請求項４】
前記光学的に書き込み可能且つ光学的に読み出し可能な面は、前記カートリッジを少なくとも実質的に一意に識別する１つ又は複数のマーキングが光学的に書き込まれていることを特徴とする、請求項１に記載の記録可能なデータ記憶カートリッジ。
【請求項５】
前記光学的に書き込み可能且つ光学的に読み出し可能な面は、前記カートリッジを少なくとも実質的に一意に同定するためのバーコードが光学的に書き込まれていることを特徴とする、請求項１に記載の記録可能なデータ記憶カートリッジ。
【請求項６】
前記光学的に書き込み可能且つ光学的に読み出し可能な面は、前記マスメディア格納装置のバーコードリーダを用いて読み出されるようになっているバーコードが光学的に書き込まれていることを特徴とする、請求項１に記載の記録可能なデータ記憶カートリッジ。
【請求項７】
前記光学的に書き込み可能且つ光学的に読み出し可能な面は、前記マーキングが光学的に書き込まれる様式と少なくとも実質的に同様の様式で光学的に読み出し可能な１つ又は複数のマーキングが光学的に書き込まれていることを特徴とする、請求項１に記載の記録可能なデータ記憶カートリッジ。
【請求項８】
前記光学的に書き込み可能且つ光学的に読み出し可能な面は、エンドユーザによって指定された１つ又は複数のマーキングが光学的に書き込まれていることを特徴とする、請求項１に記載の記録可能なデータ記憶カートリッジ。
【請求項９】
前記ハウジングの前側に配置されると共に前記記録可能なデータ記憶媒体を露出から保護するカバーをさらに備え、該カバーは通常、前記カートリッジを前記マスメディア格納装置から取り出すと閉じ、前記カートリッジを前記マスメディア格納装置のコンポーネントに挿入すると開くことを特徴とする、請求項１に記載の記録可能なデータ記憶カートリッジ。
【請求項１０】
前記記録可能なデータ記憶媒体は、磁気的に記録可能なデータ記憶媒体を含むことを特徴とする、請求項１に記載の記録可能なデータ記憶カートリッジ。
【発明の詳細な説明】
【技術分野】
【０００１】
本発明は、記憶装置に関し、特に光学的に書き込み可能なラベル面を有する記録可能なデータ記憶カートリッジに関する。
【背景技術】
【０００２】
コンピュータ化されたシステムは一般に、大量の重大なデータをハードディスクドライブ及び他の形式の記憶装置に記憶するのに使用される。かかるデータが重大であるとは、これらデータが失われると、経済的に不可能でないにしても少なくとも復元することが不可能に近く、復元可能としても多くの費用や労力を費やさざるを得ない、言うことである。しかしながら、全ての形式の電子装置同様、ハードディスクドライブ、及び他の形式の記憶装置は故障する可能性があり、実際時々故障する。
【０００３】
したがって、ハードディスクドライブ及び他の形式の記憶装置に記憶されるデータは一般に、他の記憶装置にバックアップされる。典型的な１つの形式のバックアップ記憶装置は、テープバックアップ記憶装置である。テープバックアップ記憶装置は当該装置に挿入されるテープカートリッジにデータをバックアップする。しかしながら、最大容量のテープカートリッジでさえも、典型的な組織機関のコンピュータ化されたシステムのデータを全て１つのカートリッジに記憶するのに十分な量のデータを記憶しない。したがって、データは通常、複数のかかるテープカートリッジに対してバックアップされる。小さな組織機関の場合には、管理者がバックアップ処理の際にテープカートリッジをテープバックアップ記憶装置に手動で挿入したり、取り出したりできる。しかしながら、大きな組織機関の場合や大量のデータがバックアップされるべき他の状況では、この手動処理ではまかないきれない可能性がある。
【発明の開示】
【発明が解決しようとする課題】
【０００４】
したがって、テープバックアップ記憶装置の形式によっては、テープカートリッジの手動の挿入及び取り出しを必要とせずに、多数のカートリッジを用いてデータバックアップを達成することができるように設計されているものもある。かかるテープバックアップ記憶装置は、スタッカ、オートローダ、及びライブラリ等、様々な言い方で呼ばれる。所定のテープバックアップ記憶装置は対応する数のテープカートリッジを格納する多数のスロットを有し得る。データが所定のカートリッジにバックアップされると、当該カートリッジはスロットから該装置内の読み出し／書き込み機構又はドライブに移動する。
【０００５】
かかる多連カートリッジテープバックアップ記憶装置が適正に動作するには、個々のテープカートリッジが通常、対象の装置にとって識別可能である必要がある。通常、各テープカートリッジに１つのバーコードラベルが配されている。しかしながら、バーコードラベルはいくつかの潜在的な問題をはらんでいる。ラベルがテープカートリッジに曲がって配置され、バックアップ記憶装置内でのラベルの読み出しがうまくいかない可能性がある。さらに、ラベルはテープカートリッジに適正に固定されていない場合があり、そのため、バックアップ記憶装置内で剥がれたり、装置内に詰まったりする可能性がある。さらに、テープカートリッジにバーコードラベルを配置するには時間がかかり、よって費用と労力がかかる。バーコードラベル自体もまた調達に費用がかかる。
【課題を解決するための手段】
【０００６】
上記課題を解決するための、記録可能なデータ記憶カートリッジは、ハウジングと、該ハウジング内に少なくとも部分的に収納される記録可能なデータ記憶媒体と、前記ハウジングの光学的に書き込み可能且つ光学的に読み出し可能な面とを備えている。
【０００７】
前記ハウジングは前面及び背面を有し、前記記録可能なデータ記憶媒体は該前面を介してアクセス可能であり、前記光学的に書き込み可能且つ光学的に読み出し可能な面は前記背面の少なくとも一部であることを特徴としている。
【発明を実施するための最良の形態】
【０００８】
本明細書において参照される図面は本明細書の一部を成す。図面に示す特徴は、別段に明記しない限り、本発明でのいくつかの実施形態を例示するにすぎず、本発明の全ての実施形態ではないことが意図される。本発明の例示的な実施形態の以下の詳細な説明では、本明細書の一部を成す添付の図面の参照を行い、ここでは、本発明が実施されるであろう特定の実施形態を例示として示す。これらの実施形態は、当業者が本発明を実施することを可能にする程度に十分に詳細に説明される。本発明の精神又は範囲から逸脱せずに、他の実施形態を用いてもよく、また、理論的変更、機械的変更、及び他の変更を行ってもよい。したがって、以下の詳細な説明は限定する意味にとられるべきではなく、本発明の範囲は添付の特許請求の範囲によってのみ規定される。
【０００９】
「マスメディア格納装置」：  図１は、本発明の一実施形態によるマスメディア格納装置１００を示す。マスメディア格納装置１００は通常、１つ又は複数のハードディスクドライブ等の別の記憶装置からデータをバックアップすることを意図される。格納装置１００は当該格納装置１００の他の全てのコンポーネントを少なくとも部分的に収納するハウジング１０２を有する。図１に示すように、格納装置１００は、マガジンラック１０４と、２つの読み出し／書き込み機構１０８及び１１０と、光学ラベル付け機構１１２と、自動（即ちロボット型）カートリッジ取扱機構１２６と、電源１１４と、コントローラ１１６と、シャフト１１８とを備える。当業者には理解されるように、格納装置１００の他の実施形態は、図１の実施形態に示すコンポーネントに加えて且つ／又はそれらの代わりに他のコンポーネントを有していてもよい。図１には、３つの軸、すなわちｚ軸１２０、ｘ軸１２２、及びｙ軸１２４も図示されており、これらは他の図においても同様に用いられる。
【００１０】
マガジンラック１０４は、複数の格納スロット１０６Ａ、１０６Ｂ、．．．、１０６Ｎを有し、これらはまとめて格納スロット１０６と呼ばれる。格納スロット１０６のそれぞれは、データが記憶されることが可能であるか又はデータがバックアップされることが可能なカートリッジを収容することが可能である。カートリッジの１つの特定の形式は詳細な説明において後述する。一実施形態では、格納スロット１０６に挿入されるカートリッジは、カートリッジ自体がスロット１０６内に留まったままでは、当該カートリッジにデータを記憶させることも当該カートリッジからデータを読み出すこともできない。
【００１１】
そうではなく、読み出し／書き込み機構１０８及び１１０がカートリッジに対してデータの記憶やデータの読み出しをおこなうのに用いられる。図１の実施形態では２つの読み出し／書き込み機構１０８及び１１０があるが、他の実施形態では、かかる読み出し／書き込み機構は１つと少なくてもよく又は３つ以上であってもよい。したがって、本明細書では主として、読み出し／書き込み機構１０８及び１１０の双方の動作を表すものとして主として読み出し／書き込み機構１０８の説明を行う。
【００１２】
読み出し／書き込み機構１０８がカートリッジにデータを書き込む又はカートリッジからデータを読み出すには、カートリッジを格納スロット１０６のうち１つから取り出し、読み出し／書き込み機構１０８のスロットに挿入する。読み出し／書き込み機構１０８は一実施形態では記憶ドライブであると考えられる。機構１０８によってカートリッジに書き込まれるデータは、望ましくはカートリッジにバックアップされるべきデータであり。同様に、機構１０８によってカートリッジから読み出されるデータは、望ましくはカートリッジから復元されるべきデータである。
【００１３】
自動カートリッジ取扱機構１２６は、ｚ軸１２０に沿ってシャフト１１８を上下方向に移動することが可能である。したがって、機構１２６は、格納スロット１０６のうち所望の１つからカートリッジを取り出すように格納スロット１０６のうち所望の１つに対向して位置付け可能であり、次いで、読み出し／書き込み機構１０８にカートリッジを挿入するように読み出し／書き込み機構１０８に対向して位置付け可能である。読み出し／書き込み機構１０８がカートリッジからの読み出し又はカートリッジへの書き込みを終了すると、自動カートリッジ取扱機構１２６は、カートリッジを機構１０８から取り出し、カートリッジを該当する格納スロットに戻す。自動カートリッジ取扱機構１２６は一実施形態ではピッカ（picker）であると考えられる。
【００１４】
光学ラベル付け機構１１２は、図１の実施形態では自動カートリッジ取扱機構１２６の底面に取り付けられるものとして図示されている。光学ラベル付け機構１１２は、さらに詳細に後述するように、ラベル等のデータを各カートリッジのハウジングの一表面に光学的に書き込む、及び／又はその一表面からデータ又はラベルを光学的に読み出す。光学ラベル付け機構１１２は、カートリッジにバックアップされるべきデータを書き込んだり読み出したりするではなく、カートリッジを互いに他と区別して紛れなく識別するためのデータを書き込む及び読み出す、ことに留意されたい。
【００１５】
すなわち、格納装置１００の格納スロット１０６内に配置されたカートリッジは、格納装置１００内に挿入されていない他のカートリッジに関連するところまでいかなくとも、少なくとも格納さているもの同志は区別して同定可能であることが望ましい。したがって、光学ラベル付け機構１１２は、ラベル等のデータを各カートリッジのハウジングの一表面に光学的に書き込むことができ、その場合、このデータ又はラベルは、カートリッジを少なくとも実質的に紛れなく同定する。格納装置１００が格納スロット１０６のうち１つにある所定のカートリッジの身元を決定しようとすると、光学ラベル付け機構１１２は、カートリッジの身元を知るために予め光学的に書き込まれたデータ又はラベルを光学的に読み出すことができる。
【００１６】
したがって、一実施形態では、光学ラベル付け機構１１２は、他の場合ではカートリッジを識別する目的で格納装置１００のようなマスメディア格納装置内に存在し得るバーコードリーダの代わりに用いてもよい。光学ラベル付け機構１１２は、一実施形態ではバーコードのようなラベル等のデータを各カートリッジのハウジングの一表面に光学的に書き込むことができるため、バーコードリーダに比して有益である。これに比して、バーコードリーダは、各カートリッジのハウジングに予め取り付けられているバーコードラベルからバーコードを単に読み出すことができるにすぎない。光学ラベル付け機構１１２を採用することによって、マスメディア格納装置１００により、ユーザはカートリッジにバーコードラベルを手動で取り付ける手間が省け、「発明が解決しようとする課題」においてすでに説明したような、ラベルに関連する他の問題も解消される。
【００１７】
さらに、光学ラベル付け機構１１２は、各カートリッジのハウジングの一表面に他のデータを光学的に書き込むことができる。例えば、データをバックアップするために所定のカートリッジをいつ最初に配置したか、カートリッジをいつ最後に使用したか、所定のカートリッジにどれほどのデータを記憶しているか等に関する情報が、カートリッジのハウジングの表面に光学的に書き込まれるようにできる。バーコードリーダはバーコードしか読み出すことができず、また、マスメディア格納装置に挿入されているカートリッジにデータを書き込むことができないため、カートリッジが格納装置内で使用されている期間にわたってカートリッジにそのような追加的な情報を書き込むことができない。
【００１８】
最後に、マスメディア格納装置１００は、電源１１４及びコントローラ１１６等の他のコンポーネントを含む。電源１１４は、当業者によって理解されることができるように、格納装置１００の各種コンポーネントに電力を供給し、通常、壁コンセント等の外部電源に接続される。コントローラ１１６は、これもまた当業者によって理解されることができるように、格納装置１００が、特に機能性において、通信可能に接続されるコンピューティング装置又は別の形式の装置と通信することを可能にする。例えば、コントローラ１１６は、コンピューティング装置から装置１００に挿入されるカートリッジにバックアップされるデータを受け取り、復元すべき予めバックアップされたデータをコンピューティング装置に戻す。
【００１９】
マスメディア格納装置１００に、いろいろな呼び名があるが、スタッカ、オートローダ、又はライブラリとも呼ばれる。マスメディア格納装置１００は、図１に示す以外のほかの形状要素を有していてもよい。例えば、図２Ａ、図２Ｂ、及び図２Ｃは、マスメディア格納装置１００のコンポーネントのほんのいくつかがこれらの図において特に挙げられている、格納装置１００の他の実施形態を示す。マスメディア格納装置１００は、当業者によって理解されることができるように、回転木馬型形状要素等のさらに他の形状要素を有してもよい。
【００２０】
以下において、マスメディア格納装置１００内で採用されることができる例示的な一カートリッジが説明される。その後、格納装置１００の光学ラベル付け機構１１２の特定の実施形態を説明する。しかしながら、本発明の実施形態は、光学ラベル付け機構１１２のこれらの実施形態のいずれにも限定されず、光学ラベル付け機構１１２は本明細書に記載のされたもの以外の方法でも実施ができる。
【００２１】
「カートリッジ」：  図３Ａ、図３Ｂ、及び図３Ｃは、本発明の一実施形態によるマスメディア格納装置１００において採用されることができるカートリッジ３００を示す。図３Ａは特に、カートリッジ３００の斜視図を示し、図３Ｂは特に、カートリッジ３００の上面断面図を示し、図３Ｃは特に、カートリッジ３００の背面図を示す。ｘ軸１２２、ｙ軸１２４、及びｚ軸１２０のうち少なくとも２つは図３Ａ、図３Ｂ、及び図３Ｃのそれぞれに同様に示され、これらの図の図面が互いに及び図１にどのように対応するかを示す。
【００２２】
カートリッジ３００はハウジング３０２を有する。ハウジング３０２は、一実施形態では金属ベースプレート及びプラスチックケース等の１つ又は複数の種々の部品から形成されることができる。ハウジング３０２は、一実施形態では供給リール３１４、巻き取りリール３１６、及び記録可能なデータ記憶媒体３１８を少なくとも部分的に収納する。記録可能なデータ記憶媒体３１８は具体的には、読み出し又は書き込みの際に供給リール３１４からほどかれると共に巻き取りリール３１６に巻き取られ、その後、供給リール３１４に巻き戻される、磁気的に記録可能なテープである。したがって、カートリッジ３００は具体的にはテープカートリッジである。
【００２３】
テープカートリッジは特定の形状要素を有し得る。かかるテープカートリッジ形状要素には、特にカートリッジの形式でいえば、Ｔｒａｖａｎ（登録商標）カートリッジ、デジタルデータ記憶（ＤＤＳ）、又はデジタルオーディオテープ（ＤＡＴ）カートリッジ、及びデジタルリニアテープ（ＤＬＴ）カートリッジの形状要素を含む。さらに、本発明の他の実施形態は、他の形式の磁気的に記録可能なデータ記憶媒体、及び光学的に記録可能なデータ記憶媒体、磁気光学的なデータ記憶媒体等を少なくとも部分的に収納するハウジングを有するカートリッジ等、他の形式のカートリッジを採用してもよい。
【００２４】
カートリッジ３００は、図３Ａ、図３Ｂ、及び図３Ｃの実施形態ではその前端又は表面に保護カバー３０４を有するものとして示されている。カバー３０４は、カートリッジ３００の左右側の２つのピン（例えば図３Ａに具体的に示されるピン３０８）に関して枢動可能であり、それによって、矢印３０６で示すように上に枢動して、記録可能なデータ記憶媒体３１８を露出することができる。図３Ａでは、ｙ軸１２４は図１とは反対の方向を指す。
【００２５】
したがって、カートリッジ３００は、カートリッジ３００の前端（保護カバー３０４が位置する）を頭にして機構１０８に挿入するように図１の読み出し／書き込み機構１０８に挿入される。このようにカートリッジ３００を読み出し／書き込み機構１０８に挿入することにより、カバー３０４が上に枢動して、記録可能なデータ媒体３１８を露出させることで、機構１０８によってアクセスされるようにする。したがって、カバー３０４は、記録可能なデータ記憶媒体３１８を保護し、通常、カートリッジ３００を図１のマスメディア格納装置１００から取り出すと閉じ、装置１００の読み出し／書き込み機構１０８にカートリッジ３００を挿入すると開く。
【００２６】
カートリッジ３００の背面３１０にはコーティング３１２が塗布されており、これにより、背面３１０が光学的に書き込み可能且つ光学的に読み出し可能となる。コーティング３１２はさらに包括的には層と呼ばれる。コーティング３１２の厚さは、明示のために図３Ａ、図３Ｂ、及び図３Ｃに誇張されている。実際には、コーティング３１２は厚さが数ミクロンや数ミリメートルほどの薄さとすることができる。さらに、別の実施形態では、背面３１０はコーティング３１２以外の方法によって光学的に書き込み可能且つ光学的に読み出し可能とすることができる。
【００２７】
コーティング３１２は、一実施形態では、２００１年１０月１１日に出願され、番号第０９／９７６，８７７号が付与されている「Integrated CD/DVD Recording and Label」と題する特許出願（対応米国特許第７１７２９９１号）の明細書に記載されているものとすることができる。第０９／９７６，８７７号特許出願には、光ディスクのラベル側面を光学的に書き込み可能且つ読み出し可能にするためにコーティングを光ディスクのラベル側面に塗布することができる方法が記載されている。したがって、ここでも同じ技法を用いて、カートリッジ３００の背面３１０を光学的に書き込み可能且つ読み出し可能にしてもよい。
【００２８】
図３Ｂ及び図３Ｃに特に示されるように、一実施形態では、コーティング３１２は、背面３１０全体が光学的に書き込み可能且つ読み出し可能となるように背面３１０に全体に及んでいてもよい。しかしながら、別の実施形態では、コーティング３１２が背面３１０のほんの一部に塗布され、それにより、背面３１０のこのほんの一部が光学的に書き込み可能且つ読み出し可能であるようにしてもよい。背面３１０に加えて且つ／又は背面３１０の代わりにカートリッジ３００の他の面も光学的に書き込み可能且つ光学的に読み出し可能にしてもよいことに留意されたい。
【００２９】
ラベル又はマーキング等のデータをコーティング３１２上に光学的に書き込む前では、背面３１０は空白であってもよく、したがって空白面であってもよい。したがって、かかる空白面は、一実施形態におけるコーティング３１２により、図１のマスメディア格納装置１００内で光学的に書き込まれるようになっている。こうして、格納装置１００を用いて、ラベル又はマーキング等のデータをカートリッジ３００の背面３１０に光学的に書き込むことができる。
【００３０】
別の実施形態では、背面３１０は、例えば格納装置１００以外の装置によってラベル又はマーキング等のデータがコーティング３１２に光学的に書き込まれてもよい。例えば、格納装置１００を使用してデータをバックアップするエンドユーザによって取得される前に、エンドユーザは、バーコードの形態のような、カートリッジ３００を一意に同定するデータを光学的に書き込むこと等により、指定された方法で、配信者、コンサルタント、製造業者、又は別の従事者がデータを光学的に書き込むことを指定してもよい。かかる例では、エンドユーザは、光学ラベル付け機構１１２の代わりに、従来のバーコードリーダ採用する、格納装置１００以外のマスメディア格納装置においてカートリッジ３００を使用することができる。すなわち、本発明のこの実施形態では、カートリッジ３００は、図１の本発明のマスメディア格納装置１００の代わりに、従来のマスメディア格納装置において使用するために光学的に書き込まれる。
【００３１】
カートリッジ３００の背面３１０が光学的に書き込み可能であるということは、レーザ又は別の形式の光ビームを用いてマーキング又はラベル等のデータを背面３１０に光学的に書き込むことができることを意味する。例えば、コーティング３１２は、所定の場所がレーザ又は他の形式の光ビームによって加熱されたときに、相、したがって当該所定の場所での反射率を変える相変化材料であってもよい。光学的に書き込まれたデータはさらに、レーザ又は他の形式の光ビームを用いることによってカートリッジ３００の背面３１０から読み出されることができ、その場合、背面３１０の所定の場所のコーティング３１２の相が変化しているかどうかに応じて、レーザ又は他のビームが様々に反射され、したがって、様々に検出される。したがって、光学的に書き込まれたデータは、例えば背面３１０に光学的に書き込む及び背面３１０から光学的に読み出すために図１の光学ラベル付け機構１１２によって同じレーザ又は他の形式の光ビームが用いられる限り、データが書き込まれた方法に関して少なくとも実質的に同様の様式で光学的に読み出すことができる。
【００３２】
コーティング３１２を有する、光学的に書き込み可能な、カートリッジ３００の背面３１０は、カートリッジの一表面又はかかる表面に取り付けられているラベルに従来通りに書き込むことができるバーコードとは異なる。カートリッジの表面に取り付けられているラベルは、例えば、従来通りに光学的に書き込み可能ではない。そうではなくて、バーコードは、インクジェット印刷のようなインク書き込みプロセス、及びレーザ印刷のようなトナー書き込みプロセス等の従来の印刷技術によりかかるラベルに書き込まれる。
【００３３】
特にレーザ印刷がレーザ又は別の形式の光ビームの採用を含む一方、ラベルに書き込まれるバーコード又は他の物は実際には、光ビームがそれ自体だけでは、その種々の場所のラベルの反射率を変えるのには採用されないという意味で、ラベルに光学的に書き込まれない。そうではなくて、レーザは単に、トナーがラベルに付着される場所を画定するのに使用され、ここでは、トナー自体はラベルの反射率とは異なる反射率を有する。したがって、レーザ印刷は、トナー書き込みプロセスと考えられ、本発明の実施形態によって用いられているように完全な光学的な書き込みプロセスではない。
【００３４】
さらに、従来通りに達成されるようにバーコードがカートリッジの表面に直接書き込まれる場合、通常起こることは、インクジェット印刷プロセスを用いてバーコードの形態のこの表面にインクを付着することである。かかるバーコードは光学的に読み出し可能であり得るが、カートリッジのこの表面に光学的に書き込まれず、表面自体が、そのような状況では光学的に書き込み可能ではない。本発明の実施形態のこれらの態様及び他の態様は、従来技術内に見られる従来のバーコードラベル付けプロセスとは峻別される。
【００３５】
カートリッジ３００が図１の格納スロット１０６のうち１つに格納される際、カートリッジ３００の背面３１０は自動カートリッジ取扱機構１２６に対向し、したがって、光学ラベル付け機構１１２に対向する。したがって、一実施形態では、カートリッジ３００が格納スロット１０６のうち１つに格納されたまま、光学ラベル付け機構１１２はカートリッジ３００の背面３１０に光学的に書き込む及びカートリッジ３００の背面３１０から光学的に読み出すことができる。本発明のこの実施形態及び他の実施形態は、以下においておいて詳細に説明される。
【００３６】
図４は、本発明の一実施形態による、図１のマスメディア格納装置１００に関連したデータ記憶カートリッジ３００を製造及び使用する方法４００を示す。記録可能なデータ記憶媒体３１８を有するデータカートリッジ３００を準備する（４０２）。カートリッジ３００のハウジング３０２の背面３１０等のカートリッジ３００の一表面を、コーティング３１２等の光学的に読み出し可能且つ光学的に書き込み可能な層で少なくとも部分的にコーティングする（４０４）。このコーティング処理は、例えばシルクスクリーン処理であってもよい。
【００３７】
エンドユーザにカートリッジ３００を受け渡す前に、バーコードのようなデータ又はラベル等の１つ又はマーキングを一実施形態ではコーティング３１２に光学的に書き込み得る（４０６）。これらのマーキングは、マスメディア格納装置１００と共に用い得る他のカートリッジ等の他のカートリッジに比して、カートリッジ３００を少なくとも実質的に一意に紛れなく同定することができる。マーキングはカートリッジ３００を使用予定のエンドユーザによって指定され得る。マーキングは、前記したように、マスメディア格納装置の従来のバーコードリーダを用いて読み出されるようになっているバーコードリーダであってもよい。さらに、マーキングは、説明したように、マーキングが光学的に書き込まれる方法に関して少なくとも実質的に同様の様式で光学的に読み出し可能であってもよい。方法４００の一部４０６は、マスメディア格納装置１００によってではなく別の装置によって実行され、ここでは、格納装置１００はエンドユーザの装置である。
【００３８】
こうして、データカートリッジ３００は最終的にエンドユーザに販売され（４０８）、エンドユーザはカートリッジをマスメディア格納装置１００に挿入し（４１０）、格納装置１００がカートリッジ３００を収容可能であるか又は他の方法でカートリッジ３００を収容するようになっている。マスメディア格納装置１００は、他のデータ又はバーコードのような別のラベル等の他のマーキングを光学的に書き込む、及び／又はこれらのマーキング又は方法４００の一部４０６に書き込まれたマーキングを光学的に読み出すことができる（４１２）。マスメディア格納装置１００はさらに、カートリッジ３００の記録可能なデータ記憶媒体３１８にデータを書き込む及び／又はカートリッジ３００の記録可能なデータ記憶媒体３１８からデータを読み出すことができ（４１４）、これは、カートリッジ３００のコーティング３１２に関連して達成される光学的な方法とは対照的に、磁気的な方法等、非光学的な方法で達成されてもよい。
【００３９】
「光学ラベル付け機構の第１の特定の実施形態」：  図５Ａ及び図５Ｂは、光学ラベル付け機構１１２の特定の実施形態を示すマスメディア格納装置１００の一部を示す。図５Ａは特に、光学ラベル付け機構１１２の前面図を示し、ここではｘ軸１２２及びｚ軸１２０は図５Ａに示されるように示され、ｙ軸１２４は図の平面に対して垂直であると共にこの図の平面外にある。図５Ｂは特に、光学機構１１２の側面図を示し、ｙ軸１２４及びｚ軸１２０は図５Ｂに示すように示される。
【００４０】
光学ラベル付け機構１１２は自動カートリッジ取扱機構１２６の下側に取り付けられているが、代替的に取扱機構１２６の上側に取り付けられてもよい。先のように、取扱機構１２６は、図５Ｂに特に示すスロット１０６Ｃ等、スロット１０６のうち１つから、カートリッジ３００の記録可能なデータ記憶媒体３１８にデータを書き込む及び／又はカートリッジ３００の記録可能なデータ記憶媒体３１８からデータを読み出す読み出し／書き込み機構１０８のスロットに、カートリッジ３００を移動させるためのものである。これに比して、光学ラベル付け機構１１２は、カートリッジ３００の背面３１０（コーティング３１２を有する）に光学的に書き込む及び／又はカートリッジ３００の背面３１０から光学的に読み出すためものである。カートリッジ３００の前面（保護カバー３０４を含む）は、特に図５Ｂに示すように、背面３１０がスロット１０６Ｃ内で露出するようにスロット１０６Ｃの背面に位置付けされる。
【００４１】
光学ラベル付け機構１１２は、レーザ発生器等の光ビーム発生器５０２を有する。光ビーム発生器５０２は光学的な読み出し／書き込みコンポーネントと呼ばれてもよく、又は発生器５０２以外の他の部品も含むコンポーネント等の一部であってもよい。当業者には理解できるように、ラベル付け機構１１２は、光ビーム発生器５０２に加えて他のコンポーネントを含むことができ、通常は他のコンポーネントを有するであろう。光ビーム発生器５０２は、矢印５０４Ａ、５０４Ｂ、５０４Ｃ、及び５０４Ｄ（まとめて矢印５０４と呼ばれる。）で示されるような、ｘ軸１２２とｚ軸１２０によって画定される平面に沿った４つの方向に移動することができる。そのため、図５Ａ及び図５Ｂの実施形態では、取扱機構１２６は、光学ラベル付け機構１１２がカートリッジ３００に対向して位置付けされるように移動される。次いで、光ビーム発生器５０２は矢印５０４で示される４つの方向に移動し、光ビームが、所望に応じて、カートリッジ３００の背面３１０上への特定の画像、ラベル、データ、又は他のマーキングの光学的な書き込みを達成するように、又は以前に書き込まれたマーキングを背面３１０から読み出すように稼動開始する。
【００４２】
したがって、図５Ａ及び図５Ｂの実施形態では、カートリッジ３００が格納スロット１０６Ｃ内に留まったまま、光学ラベル付け機構１１２がカートリッジ３００の背面３１０に光学的に書き込む又はカートリッジ３００の背面３１０から光学的に読み出す。自動カートリッジ取扱機構１２６が静止したまま、光ビーム発生器５０２が矢印５０４で示される４つの方向に移動する。しかしながら、別の実施形態では、光ビーム発生器５０２自体が光学ラベル付け機構１１２に対して静止していてもよく、そのため、機構１２６及び／又は機構１１２が移動して機構１１２をデータカートリッジ３００の背面３１０に光学的に書き込む又はデータカートリッジ３００の背面３１０から光学的に読み出すようにする。
【００４３】
図６は、本発明の一実施形態による、図５Ａ及び図５Ｂのマスメディア格納装置１００を使用する方法６００を示す。まず、自動カートリッジ取扱機構１２６を格納スロット１０６のうちカートリッジ３００が挿入されている選択された格納スロットに移動する（６０２）。自動カートリッジ取扱機構１２６は、当該機構１２６に取り付けられている光学ラベル付け機構１１２がカートリッジ３００に対向して位置付けされるようにこのスロットに指定的に移動される。次いで、カートリッジ３００が選択された格納スロット内に留まったまま、光学ラベル付け機構１１２がカートリッジ３００に光学的に書き込む及び／又はカートリッジ３００から光学的に読み出す（６０４）。
【００４４】
ここで説明されている光学ラベル付け機構１１２の実施形態は、カートリッジに対する光学的な書き込み能力及び読み出し能力を格納装置１００に与える、他の既存のマスメディア格納装置に対して別個の付加コンポーネントと考えられてもよいことに留意されたい。このような例では、機構１１２は、マスメディア格納装置内に設置されるようになっているハウジング、及び当該ハウジングに取り付けられる光学的な読み出し／書き込みコンポーネントを有することが示唆される。ハウジングはさらに詳細には、上述したように自動カートリッジ取扱機構１２６に取り付けられるようになっている。
【００４５】
「光学ラベル付け機構の第２の特定の実施形態」：  図７Ａ及び図７Ｂは、光学ラベル付け機構１１２の２つのさらなる特定の実施形態を示す、マスメディア格納装置１００の一部を示す。図７Ａ及び図７Ｂは双方とも光学ラベル付け機構１１２の側面図を示し、ここでは、ｙ軸１２４及びｚ軸１２０が図示のように示されている。光学ラベル付け機構１１２は、図５Ａ及び図５Ｂの実施形態とは異なり、図７Ａ及び図７Ｂの実施形態では自動カートリッジ取扱機構１２６に取り付けられていない。
【００４６】
自動カートリッジ取扱機構１２６は、カートリッジ３００を格納スロット１０６Ｃから取り出し、カートリッジ３００を光学ラベル付け機構１１２に移動させ、カートリッジ３００の背面３１０が光学ラベル付け機構１１２に向くようにする。光ビーム発生器５０２は移動して、カートリッジ３００が取扱機構１２６内に留まったまま、また、取扱機構１２６自体が静止したまま、背面３１０から光学的に読み出す又は背面３１０に書き込むことができる。別の実施形態では、光ビーム発生器５０２は移動せず、取扱機構１２６が（図７Ａ及び図７Ｂの平面に対して垂直な）ｚ軸１２０及びｘ軸１２４に沿って移動し、それにより、発生器５０２が背面３１０の所望の場所に向くようにする。
【００４７】
図７Ａでは特に、格納スロット１０６Ｃは自動カートリッジ取扱機構１２６の一方の側面に位置付けされると共に対面しており、光学ラベル付け機構１１２は取扱機構１２６のもう一方の対向側面に位置付けされると共に対面している。説明したように、カートリッジ３００はスロット１０６Ｃ内に格納され、保護カバー３０４はスロット１０６Ｃの閉端に位置付けされ、コーティング３１２を有する背面３１０がスロット１０６Ｃの開端に位置付けされる。したがって、図７Ａの実施形態では、取扱機構１２６がカートリッジ３００をスロット１０６Ｃから取り出し、ｚ軸１２０に沿って、カートリッジ３００の背面３１０が光学ラベル付け機構１１２に向くように当該機構１１２が位置付けされる場所に移動するだけでよい。
【００４８】
これに比して、図７Ｂでは、特に、格納スロット１０６Ｃ及び光学ラベル付け機構１１２は双方とも、自動カートリッジ取扱機構１２６の同じ側面に位置付けされて対面する。しかしながら、カートリッジ３００は、保護カバー３０４がスロット１０６Ｃの閉端に位置付けされると共にコーティング３１２を有する背面３１０がスロット１０６Ｃの開端に位置付けされるようにスロット１０６Ｃ内に格納されるため、取扱機構１２６は、カートリッジ３００を当該機構１２６内に置いたまま回転させる。カートリッジ３００のそのような回転は、カートリッジ３００の背面３１０が光学ラベル付け機構１１２に向くように行われる。取扱機構１２６は、内部でのカートリッジ３００の回転を達成するために１つ又は複数のサーボ又は他の形式のモータ等の回転機構７０２を有してもよい。
【００４９】
図７Ａ及び図７Ｂの実施形態に対する他の変更形態も実施可能である。例えば、光学ラベル付け機構１１２は、格納スロット１０６Ｃが対面する自動カートリッジ取扱機構１２６の側面に対向する取扱機構１２６の側面に取り付けられてもよい。或いは、光学ラベル付け機構１１２は、取扱機構１２６の内側の、格納スロット１０６Ｃが対面する側面に対向する側面に取り付けられてもよい。これらの実施形態は図７Ａの実施形態と同様であるが、ただし、ラベル付け機構１１２は、図７Ａに示されるように「取り付けられない」のではなく、取扱機構１２６に取り付けられる及び／又は取扱機構１２６の内側に取り付けられる。したがって、取扱機構１２６はカートリッジ３００をスロット１０６Ｃから取り出し、ラベル付け機構１１２がカートリッジ３００に光学的に書き込む及びカートリッジ３００から読み出すことができる。すなわち、取扱機構１２６はこれらの実施形態では、ラベル付け機構１１２が取扱機構１２６に及び／又は取扱機構１２６の内側に既に取り付けられているため、カートリッジ３００をラベル付け機構に向けて移動させるようにｚ軸１２０に沿って移動する必要がない。
【００５０】
図８は、本発明の一実施形態による、図７Ａ又は図７Ｂのマスメディア格納装置１００を使用する方法８００を示す。まず、自動カートリッジ取扱機構１２６を格納スロット１０６のうちカートリッジ３００が挿入されている選択された格納スロットに移動する（６０２）。取扱機構１２６がカートリッジ３００をこのスロットから取り出す（８０２）。次いで、取扱機構１２６をカートリッジが光学ラベル付け機構１１２に向くように移動し（８０４）、ここでは、前述したように、光学ラベル付け機構１１２が取扱機構１２６に取り付けられていない。さらに、図７Ｂの実施形態では特に、カートリッジ３００はまた取扱機構１２６内で回転する（８０６）。したがって、ラベル付け機構１１２は、カートリッジ３００が取扱機構１２６内に留まったまま、カートリッジ３００に光学的に書き込む及び／又はカートリッジ３００から光学的に読み出す（６０４）ことができる。
【００５１】
ここで説明されている光学ラベル付け機構１１２の実施形態は、カートリッジに対する光学的な書き込み能力及び読み出し能力を格納装置１００に与える、他の既存のマスメディア格納装置に対して別個の付加コンポーネントと考えられてもよいことを留意されたい。このような例では、機構１１２は、マスメディア格納装置内に設置されるようになっているハウジング、及び当該ハウジングに取り付けられる光学的な読み出し／書き込みコンポーネントを有することが示唆される。ハウジングはさらに詳細には、前述のように自動カートリッジ取扱機構１２６に取り付けられるようになっているか、又は、格納装置内に設置され、これもまた前述のように取扱機構１２６に取り付けられないままにされる。
【００５２】
「光学ラベル付け機構の第３の特定の実施形態」：  図９Ａ及び図９Ｂは、光学ラベル付け機構１１２の別の特定の実施形態を示す、マスメディア格納装置１００の一部を示す。図９Ａ及び図９Ｂは双方とも特に、光学機構１１２の側面図を示し、ここでは、ｙ軸１２４及びｚ軸１２０が図示のように示されている。図９Ａでは、自動カートリッジ取扱機構１２６がシャフト１１８に沿って格納スロット１０６Ｃに移動しており、格納スロット１０６Ｃからカートリッジ３００が取り出されている。さらに、スロット１０６Ｎは図９Ａでは開いており、光学ラベル付け機構１１２によって遮断されていない。
【００５３】
自動カートリッジ取扱機構１２６は、シャフト１１８に沿って格納スロット１０６Ｎに移動し、カートリッジ３００を格納スロット１０６Ｎに挿入する。次いで、取扱機構１２６はシャフト１１８に沿って格納スロット１０６Ｎから離れる。その後、図９Ｂでは、光学ラベル付け機構１１２の一部がスロット１０６Ｎを遮断するように移動される。さらに詳細には、機構１１２の光ビーム発生器５０２が、コーティング３１２を有する、カートリッジ３００の背面３１０に向けられる。保護カバー３０４はスロット１０６Ｎの閉端に留まっている。
【００５４】
したがって、図９Ａ及び図９Ｂの実施形態は、スロット１０６Ｎ等、格納スロット１０６のうち１つを犠牲にし、カートリッジ３００の背面３１０の光学的な読み出し及び／又は光学的な書き込みが行われることになる場合にそのスロットにカートリッジ３００を移動するようになっている。光学ラベル付け機構１１２は、格納スロット１０６Ｎの下側又は格納スロット１０６Ｎの真下のスロット内に取り付けられる部分を有するが、別の実施形態では、この部分はスロット１０６Ｎの上側又は格納スロット１０６Ｎの真上のスロット内に取り付けられてもよい。光学ラベル付け機構１１２はまた、スロット１０６Ｎの開口上を通るように移動する別の部分も有することで、光ビーム発生器５０２がカートリッジ３００の背面３１０に向くようにし、カートリッジ３００の背面３１０を光学的に読み出す及び書き込むようにする。しかしながら、一実施形態では、格納スロット１０６Ｎはそれ自体、光学ラベル付け機構１１２のスロットと考えられてもよい。すなわち、この実施形態では、カートリッジに対する光学的な書き込み及び光学的な読み出しのためにスロット１０６Ｎを使用することは、スロット１０６Ｎをラベル付け機構１１２自体の一部と見なすことができる。
【００５５】
したがって、図９Ａ及び図９Ｂの実施形態では、カートリッジ３００は自動カートリッジ取扱機構１２６に入り、その後、自動カートリッジ取扱機構１２６を出てから、光学的に読み出される又は書き込まれる。さらに具体的には、カートリッジ３００は、光学的に読み出す及び書き込むために指定された格納スロット１０６のうちの１つに挿入され、このスロットには光学ラベル付け機構１１２が取り付けられている。光ビーム発生器５０２はラベル付け機構１１２の移動可能なコンポーネントと考えられるが、その理由は、これが、カートリッジ３００がスロット１０６Ｎに挿入され、取扱機構１２６がスロット１０６Ｎから離れた後で、スロット１０６Ｎを通るように移動する、機構１１２の部分の一部であるためである。
【００５６】
図１０は、本発明の一実施形態による、図９Ａ又は図９Ｂのマスメディア格納装置１００を使用する方法１０００を示す。まず、自動カートリッジ取扱機構１２６を格納スロット１０６のうちカートリッジ３００が挿入されている選択された格納スロットに移動する（６０２）。取扱機構１２６がカートリッジ３００をこのスロットから取り出す（８０２）。次いで、取扱機構１２６を光学ラベル付け機構１１２のスロットに移動し（１００２）、カートリッジをこの格納スロットに挿入する（１００４）。次いで、取扱機構１２６をスロットから離すことができる。いずれの場合においても、光学ラベル付け機構１１２の一部が格納スロットを通るように移動する（１００６）。したがって、ラベル付け機構１１２は、カートリッジ３００がこのスロット内に留まったまま、カートリッジ３００に光学的に書き込む及び／又はカートリッジ３００から光学的に読み出す（６０４）ことができる。
【００５７】
ここで説明されている光学ラベル付け機構１１２の実施形態は、カートリッジに対する光学的な書き込み能力及び読み出し能力を格納装置１００に与える、他の既存のマスメディア格納装置に対して別個の付加コンポーネントと考えられてもよいことを留意されたい。このような例では、機構１１２は、マスメディア格納装置内に設置されるようになっているハウジングを有することが示唆される。例えば、ハウジングは、それ自体が機構１１２の一部となるスロットよりも上又は下の格納スロット、及びハウジングに取り付けられている光学的な読み出し／書き込みコンポーネントに挿入されてもよい。別の言い方で述べれば、図９Ａ及び図９Ｂに関して、ハウジングは、最終的にそれ自体が機構１１２の一部となる格納スロット１０６Ｎよりも上又は下の格納スロットに挿入されてもよい。例えば、格納スロット１０６Ｎよりも上に格納スロットがあってもよく、このスロットにハウジングが挿入可能であることで、既存のマスメディア格納装置内に光学ラベル付け機構１１２を設置しやすくなる。
【００５８】
「光学ラベル付け機構の第４の特定の実施形態」：  図１１は、光学ラベル付け機構１１２の別の特定の実施形態を示す、マスメディア格納装置１００の一部を示す。図１１は特に、光学ラベル付け機構１１２の側面図を示し、ここでは、ｙ軸１２４及びｚ軸１２０が図示のように示されている。自動カートリッジ取扱機構１２６は格納スロット１０６Ｃに移動し、カートリッジ３００を格納スロット１０６Ｃから取り出し、シャフト１１８に沿って光学ラベル付け機構１１２のスロット１１０４に移動し、カートリッジ３００をラベル付け機構１１２のスロット１１０４に挿入する。
【００５９】
光学ラベル付け機構１１２の内部に入ると、カートリッジ３００はラベル付け機構１１２の回転機構１１０２によって回転する。かかる回転は、コーティング３１２を有する、カートリッジ３００の背面３１０が、ラベル付け機構１１２の光ビーム発生器５０２に向くように行われる。すなわち、カートリッジ３００が最初に自動カートリッジ取扱機構１２６によってラベル付け機構１１２のスロット１１０４に挿入された時点ではカートリッジ３００の保護カバー３０４が光ビーム発生器５０２に向く。そのため、光ビーム発生器５０２、したがってラベル付け機構１１２自体がカートリッジ３００の面に光学的に書き込む及びカートリッジ３００の面から読み出すことができるように回転が行われる。回転機構１１０２は１つ又は複数のサーボ又は他の形式のモータであってもよい。
【００６０】
したがって、図１１の実施形態における光学ラベル付け機構１１２は、カートリッジ３００を収容する特定の形式のドライブと考えられてもよく、読み出し／書き込み機構１０８がドライブであるのと何ら違いはない。カートリッジ３００は、保護カバー３０４を頭にして、読み出し／書き込み機構１０８に入るのと同じ方法でラベル付け機構１１２に挿入される。しかしながら、読み出し／書き込み機構１０８は、カートリッジ３００の記録可能なデータ記憶媒体３１８からデータを読み出す及びカートリッジ３００の記録可能なデータ記憶媒体３１８にデータを書き込むが、光学ラベル付け機構１１２は、コーティング３１２を有する、カートリッジ３００の背面３１０を光学的に読み出す及び書き込む。また、読み出し／書き込み機構１０８は、カートリッジ３００に対する読み出し及び書き込みを行うためにカートリッジ３００を回転する必要はないが、光学ラベル付け機構１１２は、背面３１０が光ビーム発生器５０２に向くようにカートリッジ３００を回転させる回転機構１１０２を有する。
【００６１】
図１２は、本発明の一実施形態による、図１１のマスメディア格納装置１００を使用する方法１２００を示す。まず、自動カートリッジ取扱機構１２６を格納スロット１０６のうちカートリッジ３００が挿入されている選択された格納スロットに移動する（６０２）。取扱機構１２６がカートリッジ３００をこのスロットから取り出す（８０２）。次いで、取扱機構１２６を光学ラベル付け機構１１２のスロットに移動し（１００２）、カートリッジをこの格納スロットに挿入する（１００４）。光学ラベル付け機構１１２は、カートリッジ３００をラベル付け機構１１２内に留めたまま、カートリッジ３００を回転させる（１２０２）。よって、ラベル付け機構１１２は、カートリッジ３００がこのスロット内に、したがって、光学ラベル付け機構１１２自体に留まっている間に、カートリッジ３００に光学的に書き込む及び／又は光学的に読み出す（６０４）ことができる。
【００６２】
ここで説明されている光学ラベル付け機構１１２の実施形態は、カートリッジに対する光学的な書き込み能力及び読み出し能力を格納装置１００に与える、他の既存のマスメディア格納装置に対して別個の付加コンポーネントと考えられてもよいことに留意されたい。このような例では、機構１１２は、マスメディア格納装置内に設置されるようになっているハウジングを有することが示唆される。該機構１１２の全体が、装置内の既存のドライブに加えて及び／又はその代わりに、別のドライブのようなマスメディア格納装置内に設置されてもよい。例えば、ラベル付け機構１１２は一実施形態では図１の読み出し／書き込み機構１１０の代わりに用いられてもよい。
【００６３】
「結論」：  以上のようであり、したがって、特定の実施形態を本明細書に図示及び説明してきたが、同じ目的を達成すると思われるいかなる構成も図示の特定の実施形態に代えることができることは当業者に理解されるであろうことに留意されたい。本願は、本発明の開示の実施形態のいずれもの適合又は変更も包含することが意図される。例えば、本発明の実施形態はテープ記録可能なデータ記憶媒体を収納するカートリッジに関して実質的に説明してきたが、本発明の他の実施形態は、他の形式の記録可能なデータ記憶媒体を収納するカートリッジに関して用いられてもよい。
【００６４】
別の例として、マスメディア格納装置の光学ラベル付け機構の特定の実施形態を図示及び説明してきた。しかしながら、本発明の他の実施形態が、図示及び説明してきた構成以外の構成で他の形式の光学ラベル付け機構を用いることもできる。すなわち、本発明の実施形態は、図示及び説明してきた光学ラベル付け機構の種々の変更形態、及び同じくカートリッジに対する光学的な読み出し及び書き込みを達成する他の形式の光学ラベル付け機構に改変可能である。したがって、本発明は特許請求の範囲及びその均等物によってのみ限定されることが明らかに意図される。
【図面の簡単な説明】
【００６５】
【図１】本発明の一実施形態によるマスメディア格納装置の図である。
【図２Ａ】本発明の一実施形態によるマスメディア格納装置の図である。
【図２Ｂ】本発明の一実施形態によるマスメディア格納装置の図である。
【図２Ｃ】本発明の一実施形態によるマスメディア格納装置の図である。
【図３Ａ】本発明の一実施形態によるカートリッジの斜視図である。
【図３Ｂ】本発明の一実施形態によるカートリッジの上面断面図である。
【図３Ｃ】本発明の一実施形態によるカートリッジの背面図である。
【図４】本発明の一実施形態による、図３Ａ、図３Ｂ、及び図３Ｃのカートリッジの製造方法及び使用方法を示すフローチャートである。
【図５Ａ】本発明の一実施形態によるマスメディア格納装置の一部の前面図である。
【図５Ｂ】本発明の一実施形態によるマスメディア格納装置の一部の側面図である。
【図６】本発明の一実施形態による、図５Ａ及び図５Ｂのマスメディア格納装置を使用する方法を示すフローチャートである。
【図７Ａ】本発明の一実施形態によるマスメディア格納装置の一部の側面図である。
【図７Ｂ】本発明の一実施形態によるマスメディア格納装置の一部の側面図である。
【図８】本発明の一実施形態による、図７Ａ又は図７Ｂのマスメディア格納装置を使用する方法を示すフローチャートである。
【図９Ａ】本発明の一実施形態によるマスメディア格納装置の一部の側面図である。
【図９Ｂ】本発明の一実施形態によるマスメディア格納装置の一部の側面図である。
【図１０】本発明の一実施形態による、図９Ａ及び図９Ｂのマスメディア格納装置を使用する方法を示すフローチャートである。
【図１１】本発明の一実施形態によるマスメディア格納装置の一部の側面図である。
【図１２】本発明の一実施形態による、図１１のマスメディア格納装置を使用する方法を示すフローチャートである。
【符号の説明】
【００６６】
１００  マスメディア格納装置
１０２  収納するハウジング
１０４  マガジンラック１０４
１０６  格納スロット１０６Ａ、１０６Ｂ、．．．、１０６Ｎの総称
１０８；１１０  読み出し／書き込み機構
１１２  光学ラベル付け機構１１２
１１４  電源
１１６  コントローラ
１１８  シャフト
１２６  自動カートリッジ取扱機構
３００  カートリッジ
３０２  ハウジング
３０４  保護カバー
３１０  背面
３１２  コーティング
３１８  記録可能なデータ記憶媒体
【図１】
2007299514.tif 000003
【図２Ａ】
2007299514.tif 000004
【図２Ｂ】
2007299514.tif 000005
【図２Ｃ】
2007299514.tif 000006
【図３Ａ】
2007299514.tif 000007
【図３Ｂ】
2007299514.tif 000008
【図３Ｃ】
2007299514.tif 000009
【図４】
2007299514.tif 000010
【図５Ａ】
2007299514.tif 000011
【図５Ｂ】
2007299514.tif 000012
【図６】
2007299514.tif 000013
【図７Ａ】
2007299514.tif 000014
【図７Ｂ】
2007299514.tif 000015
【図８】
2007299514.tif 000016
【図９Ａ】
2007299514.tif 000017
【図９Ｂ】
2007299514.tif 000018
【図１０】
2007299514.tif 000019
【図１１】
2007299514.tif 000020
【図１２】
2007299514.tif 000021